(57)【特許請求の範囲】
【請求項１】
可搬ユニットと、
巡回すべき場所ごとに設置され、前記可搬ユニットと通信する一又は二以上の固定ユニットと、
前記各固定ユニットと通信ネットワーク経由で通信するセンタ装置と、
を有する情報通信システムにおいて、
前記可搬ユニットは、可視光を発するＬＥＤと、可視光の受光センサ部と、固有のＩＤ情報を前記ＬＥＤの点滅により送出させる制御回路と、を有し、
前記固定ユニットは、
可視光を発するＬＥＤと、可視光の受光センサ部と、前記センタ装置と通信ネットワークで通信する通信部と、前記可搬ユニットから送出された前記ＩＤ情報を前記受光センサ部で受信すると共に前記通信部から前記センタ装置へ転送する制御手段と、を有し、
前記センタ装置は、
前記各固定ユニットと前記通信ネットワークで通信するセンタ側通信部と、
可搬ユニットごとのＩＤ情報を記憶したＩＤテーブルと、
固定ユニットごとの位置を記憶した位置テーブルと、
前記センタ側通信部で前記固定ユニットから前記ＩＤ情報を受信すると共に、どの固定ユニットからどのＩＤ情報を受信したかの情報に基づいて、前記各テーブルを参照することにより、どの可搬ユニットがどの固定ユニットの位置に存在するかの位置情報を特定し、巡回記録情報として出力しもしくは所定の記憶手段に記憶させる、位置特定手段と、
巡回路を構成する各固定ユニットごとに、その場所で点検すべき一又は二以上の点検箇所を記憶した点検箇所記憶手段と、
前記位置特定手段で特定された位置の固定ユニットに該当する点検箇所を、前記点検箇所記憶手段から読み出すと共に、その固定ユニットに通知する、点検箇所指示手段と、
を有し、
前記固定ユニットは、前記センタ装置から通知された前記点検箇所について、前記ＬＥＤを制御し可視光を照射することにより報知する、点検箇所報知手段を有する
ことを特徴とする情報通信システム。
【請求項２】
前記センタ装置は、
巡回路上に順列する各固定ユニットを記憶した巡回路記憶手段と、
前記巡回路記憶手段に記憶されている各固定ユニットごとに順次、センタ側通信部から次に巡回すべき巡回先を指示する巡回先指示手段を有し、
前記固定ユニットは、センタ装置から指示された次の巡回先を、前記ＬＥＤの点滅により前記可搬ユニットへ送信する、巡回先転送手段を有し、
前記可搬ユニットは、前記固定ユニットからどの巡回先が送信されたかを出力する出力手段を有する
ことを特徴とする請求項１記載の情報通信システム。
【請求項３】
前記固定ユニットは、前記点検箇所を報知した後、所定時間内に前記受光センサ部で可搬ユニットのＩＤ情報を受信したか否かを確認すると共に、受信した場合又はしなかった場合にその旨を前記センタ装置へ通知する、完了確認手段を有し、
前記センタ装置は、前記固定ユニットからの前記通知の内容に応じて、警報もしくは記録の少なくとも一方の処理を行う、完了処理手段を有する
ことを特徴とする請求項１又は２記載の情報通信システム。
【請求項４】
可視光を発するＬＥＤと、可視光の受光センサ部と、制御回路、を有する可搬ユニットと、
巡回すべき場所ごとに設置され、前記可搬ユニットと通信する一又は二以上の固定ユニットであって、可視光を発するＬＥＤと、可視光の受光センサ部と、前記センタ装置と通信ネットワークで通信する通信部と、制御手段と、点検箇所報知手段と、を有する固定ユニットと、
前記各固定ユニットと通信ネットワーク経由で通信するセンタ装置であって、前記各固定ユニットと前記通信ネットワークで通信するセンタ側通信部と、可搬ユニットごとのＩＤ情報を記憶したＩＤテーブルと、固定ユニットごとの位置を記憶した位置テーブルと、位置特定手段と、巡回路を構成する各固定ユニットごとに、その場所で点検すべき一又は二以上の点検箇所を記憶した点検箇所記憶手段と、点検箇所指示手段、を有するセンタ装置と、
を組み合わせた情報通信システムを用いる情報通信方法において、
前記可搬ユニットの前記制御回路により、固有のＩＤ情報を前記ＬＥＤの点滅により送出させる、処理ステップと、
前記固定ユニットの前記制御手段により、前記可搬ユニットから送出された前記ＩＤ情報を前記受光センサ部で受信すると共に前記通信部から前記センタ装置へ転送する、処理ステップと、
前記センタ装置の前記位置特定手段により、前記センタ側通信部で前記固定ユニットから前記ＩＤ情報を受信させると共に、どの固定ユニットからどのＩＤ情報を受信したかの情報に基づいて、前記各テーブルを参照することにより、どの可搬ユニットがどの固定ユニットの位置に存在するかの位置情報を特定し、巡回記録情報として出力しもしくは所定の記憶手段に記憶させる、処理ステップと、
前記センタ装置の前記点検箇所指示手段により、前記位置特定手段で特定された位置の固定ユニットに該当する点検箇所を、前記点検箇所記憶手段から読み出すと共に、その固定ユニットに通知する、処理ステップと、
前記固定ユニットの前記点検箇所報知手段により、前記センタ装置から通知された前記点検箇所について、前記ＬＥＤを制御し可視光を照射することにより報知する、処理ステップと、
を実行することを特徴とする情報通信方法。
【請求項５】
前記センタ装置は、巡回路上に順列する各固定ユニットを記憶した巡回路記憶手段と、巡回先指示手段、をコンピュータの演算制御部で実現すると共に、
前記巡回先指示手段により、前記巡回路記憶手段に記憶されている各固定ユニットごとに順次、センタ側通信部から次に巡回すべき巡回先を指示する、処理ステップを実行し、
前記固定ユニットは、コンピュータの演算制御部で実現する巡回先転送手段により、センタ装置から指示された次の巡回先を、前記ＬＥＤの点滅により前記可搬ユニットへ送信する、処理ステップを実行し、
前記可搬ユニットは、前記固定ユニットからどの巡回先が送信されたかを、所定の出力手段で出力する、処理ステップを実行する
ことを特徴とする請求項４記載の情報通信方法。
【発明の詳細な説明】
【技術分野】
【０００１】
本発明は、ＬＥＤによる可視光を用いて通信を行う技術に関する。
【背景技術】
【０００２】
近年、電子技術や情報通信技術の進展は目ざましく、夜間警備の巡回など人間が行う業務においても、デジタル無線通信装置や情報記録用携帯端末など、各種の技術が導入されている。その一例として、ゴミ集積所ごとにＲＦＩＤなどのＩＣタグを設置し、このＩＣタグと巡回者の携帯端末が微弱電波で無線通信することにより位置確認を行って、巡回漏れを防止する提案も存在する（特許文献１参照）。
【特許文献１】特開２００４−２３４２７５号公報
【発明の開示】
【発明が解決しようとする課題】
【０００３】
ところで、巡回警備の分野で重要な要素として、センタ設備などと巡回者の通信を確保することと、巡回経路や点検箇所について上記のように漏れを防止したり、巡回者に正確な指示を与えることがある。このうち、通信の媒体は各種存在するが、従来、可視光通信は、周囲の明るさなどとの関係もあって、データ伝送に適さないと考えられたため、上記のような用途を含め、通信には電波や赤外線など不可視の伝送媒体が用いられてきた。
【０００４】
しかし、上記のような不可視の伝送媒体では、情報の伝達が目に見えないことから、傍受などによる情報漏れのリスクがあり、セキュリティの改善が希求されていた。また、巡回場所や点検箇所については、予め別途、書面などで巡回者に伝達する必要があり、この点の省力化による業務効率化の要請も大きかった。
【０００５】
本発明は、上記のような従来技術の課題を解決するもので、その目的は、情報通信システムに関する技術において、固定ユニットと可搬ユニットとの間で、ＬＥＤの可視光による双方向通信を行うことにより、巡回及び点検の記録や指示に関する業務の効率化及びセキュリティ改善を図ることである。
【課題を解決するための手段】
【０００６】
上記の目的をふまえ、本発明の一態様は、可搬ユニットと、巡回すべき場所ごとに設置され、前記可搬ユニットと通信する一又は二以上の固定ユニットと、前記各固定ユニットと通信ネットワーク経由で通信するセンタ装置と、を有する情報通信システムにおいて、前記可搬ユニットは、可視光を発するＬＥＤと、可視光の受光センサ部と、固有のＩＤ情報を前記ＬＥＤの点滅により送出させる制御回路と、を有し、前記固定ユニットは、可視光を発するＬＥＤと、可視光の受光センサ部と、前記センタ装置と通信ネットワークで通信する通信部と、前記可搬ユニットから送出された前記ＩＤ情報を前記受光センサ部で受信すると共に前記通信部から前記センタ装置へ転送する制御手段と、を有し、前記センタ装置は、前記各固定ユニットと前記通信ネットワークで通信するセンタ側通信部と、可搬ユニットごとのＩＤ情報を記憶したＩＤテーブルと、固定ユニットごとの位置を記憶した位置テーブルと、前記センタ側通信部で前記固定ユニットから前記ＩＤ情報を受信すると共に、どの固定ユニットからどのＩＤ情報を受信したかの情報に基づいて、前記各テーブルを参照することにより、どの可搬ユニットがどの固定ユニットの位置に存在するかの位置情報を特定し、巡回記録情報として出力しもしくは所定の記憶手段に記憶させる、位置特定手段と、巡回路を構成する各固定ユニットごとに、その場所で点検すべき一又は二以上の点検箇所を記憶した点検箇所記憶手段と、前記位置特定手段で特定された位置の固定ユニットに該当する点検箇所を、前記点検箇所記憶手段から読み出すと共に、その固定ユニットに通知する、点検箇所指示手段と、を有し、前記固定ユニットは、前記センタ装置から通知された前記点検箇所について、前記ＬＥＤを制御し可視光を照射することにより報知する、点検箇所報知手段を有することを特徴とする。
【０００７】
本発明の他の態様は、上記態様を方法という見方からとらえたもので、可視光を発するＬＥＤと、可視光の受光センサ部と、制御回路、を有する可搬ユニットと、巡回すべき場所ごとに設置され、前記可搬ユニットと通信する一又は二以上の固定ユニットであって、可視光を発するＬＥＤと、可視光の受光センサ部と、前記センタ装置と通信ネットワークで通信する通信部と、制御手段と、点検箇所報知手段と、を有する固定ユニットと、前記各固定ユニットと通信ネットワーク経由で通信するセンタ装置であって、前記各固定ユニットと前記通信ネットワークで通信するセンタ側通信部と、可搬ユニットごとのＩＤ情報を記憶したＩＤテーブルと、固定ユニットごとの位置を記憶した位置テーブルと、位置特定手段と、巡回路を構成する各固定ユニットごとに、その場所で点検すべき一又は二以上の点検箇所を記憶した点検箇所記憶手段と、点検箇所指示手段、を有するセンタ装置と、を組み合わせた情報通信システムを用いる情報通信方法において、前記可搬ユニットの前記制御回路により、固有のＩＤ情報を前記ＬＥＤの点滅により送出させる、処理ステップと、前記固定ユニットの前記制御手段により、前記可搬ユニットから送出された前記ＩＤ情報を前記受光センサ部で受信すると共に前記通信部から前記センタ装置へ転送する、処理ステップと、前記センタ装置の前記位置特定手段により、前記センタ側通信部で前記固定ユニットから前記ＩＤ情報を受信させると共に、どの固定ユニットからどのＩＤ情報を受信したかの情報に基づいて、前記各テーブルを参照することにより、どの可搬ユニットがどの固定ユニットの位置に存在するかの位置情報を特定し、巡回記録情報として出力しもしくは所定の記憶手段に記憶させる、処理ステップと、前記センタ装置の前記点検箇所指示手段により、前記位置特定手段で特定された位置の固定ユニットに該当する点検箇所を、前記点検箇所記憶手段から読み出すと共に、その固定ユニットに通知する、処理ステップと、前記固定ユニットの前記点検箇所報知手段により、前記センタ装置から通知された前記点検箇所について、前記ＬＥＤを制御し可視光を照射することにより報知する、処理ステップと、を実行することを特徴とする。
【０００８】
このように、巡回者の位置確認や巡回・点検の記録を行うために可搬ユニットと固定ユニットの間で行う双方向通信に、電波より指向性が高い可視光を用いることで高精度な位置確認が容易になり、また、可視光は電波より漏洩しにくいためセキュリティが改善できる。また、可視光はＬＥＤなど照明用と発光手段を共用できるため、無線機器や照明設備を新規設置することなく安価にシステムを構築可能となる。さらに、可視光と可搬ユニットという組合せにより、固定ユニットとの通信においても、可視光の到達が視覚で確認でき、手の届かない場所や障害物がある場所についても移動して固定ユニットとの間で光を届かせるなど、安全で確実な動作が確保容易となる。
さらに、巡回場所ごとに、特に点検すべき点検箇所を固定ユニットから照射して巡回者に知らせることにより、点検忘れの防止と共に、貴重な展示物の確認などきめ細かな点検を確実に実施可能となる。
【０００９】
本発明の他の態様は、さらに、前記センタ装置は、巡回路上に順列する各固定ユニットを記憶した巡回路記憶手段と、前記巡回路記憶手段に記憶されている各固定ユニットごとに順次、センタ側通信部から次に巡回すべき巡回先を指示する巡回先指示手段を有し、前記固定ユニットは、センタ装置から指示された次の巡回先を、前記ＬＥＤの点滅により前記可搬ユニットへ送信する、巡回先転送手段を有し、前記可搬ユニットは、前記固定ユニットからどの巡回先が送信されたかを出力する出力手段を有することを特徴とする。
【００１０】
本発明の他の態様は、上記態様を方法という見方からとらえたもので、前記センタ装置は、巡回路上に順列する各固定ユニットを記憶した巡回路記憶手段と、巡回先指示手段、をコンピュータの演算制御部で実現すると共に、前記巡回先指示手段により、前記巡回路記憶手段に記憶されている各固定ユニットごとに順次、センタ側通信部から次に巡回すべき巡回先を指示する、処理ステップを実行し、前記固定ユニットは、コンピュータの演算制御部で実現する巡回先転送手段により、センタ装置から指示された次の巡回先を、前記ＬＥＤの点滅により前記可搬ユニットへ送信する、処理ステップを実行し、前記可搬ユニットは、前記固定ユニットからどの巡回先が送信されたかを、所定の出力手段で出力する、処理ステップを実行することを特徴とする。
【００１１】
このように、センタ装置から次の巡回先を順次、固定ユニット経由で可搬ユニットへ送信し出力させることにより、情報漏えいを防止しながら巡回漏れを効果的に防止し業務の効率化が可能となる。
【００１２】
本発明の他の態様は、さらに、前記固定ユニットは、前記点検箇所を報知した後、所定時間内に前記受光センサ部で可搬ユニットのＩＤ情報を受信したか否かを確認すると共に、受信した場合又はしなかった場合にその旨を前記センタ装置へ通知する、完了確認手段を有し、前記センタ装置は、前記固定ユニットからの前記通知の内容に応じて、警報もしくは記録の少なくとも一方の処理を行う、完了処理手段を有することを特徴とする。
【００１３】
このように、照射された点検箇所の点検と共に、巡回者が可搬ユニットで固定ユニットを照射することにより、実際にその点検箇所を点検したことを確認し、警報や記録を可能とすることにより、巡回や点検の信頼性が効果的に改善可能となる。
【発明の効果】
【００１４】
以上のような本発明によれば、情報通信システムに関する技術において、固定ユニットと可搬ユニットとの間で、ＬＥＤの可視光による双方向通信を行うことにより、巡回及び点検の記録や指示に関する業務の効率化及びセキュリティ改善を図ることが可能となる。
【発明を実施するための最良の形態】
【００１５】
次に、本発明を実施するための最良の実施形態について図に沿って説明する。なお、背景技術や課題で既に説明した内容と共通の前提事項は適宜省略する。
【００１６】
〔１．構成〕
本実施形態は、図１の構成図に示すように、巡回者が持ち歩く可搬ユニット１と、巡回すべき場所ごとに設置され、可搬ユニット１と通信する一又は二以上の固定ユニット２（２１，２２…）と、各固定ユニット２と通信ネットワークＮ経由で通信するセンタ装置３と、を有する情報通信システム（以下「本システム」と呼ぶ）であり、本システムを用いる情報通信方法としても把握可能である。
【００１７】
本システムの各構成要素のうち、可搬ユニット１は、懐中電灯状であり、図示しないケース、バッテリ、スイッチなどの他、図１に示すように、可視光を発する白色ＬＥＤ１１と、可視光の受光センサ部１２と、制御回路１５、を有する。
【００１８】
また、固定ユニット２は、売り場や展示室などの巡回警備対象領域のなかで、区画などを単位とした巡回先ごとに設けられ、可視光を発する白色ＬＥＤ２１（２１１，２１２，２１３）と、可視光の受光センサ部２２と、センタ装置３と通信ネットワークＮで通信する通信部２３、を有する。また、固定ユニット２では、マイクロコンピュータなどの図示しない演算制御部をコンピュータプログラムで制御することにより、制御手段２４と、巡回先転送手段２５と、点検箇所報知手段２６と、完了確認手段２７、を実現しており、これら各手段は、後述するような本実施形態の機能作用を実現・実行する処理手段である。
【００１９】
センタ装置３は、各固定ユニット２と通信ネットワークＮで通信するセンタ側通信部３１と、可搬ユニット１ごとのＩＤ情報を記憶したＩＤテーブル３２と、固定ユニットごとの位置を記憶した位置テーブル３３と、巡回路上に順列する各固定ユニット２を記憶した巡回路記憶手段３５と、巡回路を構成する各固定ユニット２ごとに、その場所で点検すべき一又は二以上の点検箇所を記憶した点検箇所記憶手段３７、を有する。
【００２０】
また、センタ装置３では、マイクロコンピュータなどの図示しない演算制御部をコンピュータプログラムで制御することにより、位置特定手段３４と、巡回先指示手段３６と、点検箇所指示手段３８と、完了処理手段３９、を実現している。これら各手段も、以下のような本発明及び本実施形態の作用効果を実現実行する処理手段である。
【００２１】
〔２．作用〕
以上のような本実施形態における処理手順を図２のフローチャートに示す。
【００２２】
〔２−１．位置の特定と巡回の記録〕
まず、ユーザである巡回者が、巡回場所ごとに、可搬ユニット１に対し所定の操作を行うことにより、ＩＤ情報を含む可視光を固定ユニット２へ照射する（ステップＳ２１）。この際、可搬ユニット１の制御回路１５が、予め記憶している固有のＩＤ情報を含む所定の情報（「巡回情報」とも呼ぶ）をＬＥＤ１１を点滅させることで、光信号データとして送出させる。より具体的には、制御回路１５は、図示はしないが、クロックに基づく符号化やＦＭ変調の各機能部により、ＬＥＤ１１の点滅を変調制御することにより、発光する可視光に前記ＩＤ情報を伝送情報として重畳する。
【００２３】
上記のように可搬ユニット１から送出された前記ＩＤ情報を、固定ユニット２（例えば２１）の制御手段２４が、受光センサ部２２で受信すると共に通信部２３からセンタ装置３へ転送する（ステップＳ２２）。この際、受光センサ部２２及び制御手段２４は、図示はしないが、受けた光をフォトディテクタなどで電気信号に変換し、変換された前記電気信号から、ＦＭ復調及び復号化の各機能部により伝送情報を復調する。
【００２４】
センタ装置３では、固定ユニット２からの前記ＩＤ情報を、位置特定手段３４がセンタ側通信部３１で受信する。そして、どの固定ユニットからどのＩＤ情報を受信したかの情報に基づいて、各テーブル３２，３３を参照することにより、どの可搬ユニット１がどの固定ユニット２の位置に存在するかの位置情報を特定し、日時を含む巡回記録情報（「巡回者データ」とも呼ぶ）として、出力しもしくは所定の記憶手段（例えば巡回路記憶手段３５や、点検箇所記憶手段３７に予め設ける記録フィールドなど）に記憶させる（ステップＳ２３）。
【００２５】
〔２−２．点検箇所の指示〕
また、区画などを単位とした巡回先ごとに、より具体的な陳列棚などの点検箇所を指示することも可能である。すなわち、センタ装置３の点検箇所指示手段３８が、位置特定手段３４で特定された位置すなわち巡回場所の固定ユニット２に該当する点検箇所を指定する情報（例えば座標データや、複数ある照明用ＬＥＤのうち該当する番号など）を、点検箇所記憶手段３７から読み出して特定すると共に（ステップＳ２４）、その固定ユニット２に送信して通知する（ステップＳ２５）。
【００２６】
この通知を受けた固定ユニット２では、点検箇所報知手段２６が、センタ装置３から通知された点検箇所について、ＬＥＤ２１２や２１３を制御し可視光を照射することにより（ステップＳ２６）、巡回者に報知する。ＬＥＤの制御としては、例えば、それぞれ異なる箇所に予め向けてある複数のＬＥＤのうち該当するもののみを点灯させたり点滅させてもよいし、また、単一のＬＥＤの向きをモーターなどで制御することで対象箇所を照射するようにしてもよい。
【００２７】
〔２−３．点検完了の通知と記録〕
上記のように照射された点検箇所の点検に伴って、巡回者は、可搬ユニット１で照射元の固定ユニット２を照射し返すことにより、点検完了の確認操作とする（ステップＳ２７）。一方、固定ユニット２の完了確認手段２７は、前記点検箇所を報知した後、所定の点検時間分だけ待つ（ステップＳ２８）。
【００２８】
完了確認手段２７は、前記点検時間の間に受光センサ部２２で可搬ユニット１のＩＤ情報が受信できれば点検終了が確認できたものとするが（ステップＳ２９）、その間にＩＤ情報が受信できなければ（ステップＳ２９）、点検ＮＧ、すなわち何らかの異常があった旨の情報をセンタ装置３へ通知し（ステップＳ３１）、この点検ＮＧの通知があるとセンタ装置３の完了処理手段３９は、警報を発すると共に（ステップＳ３２）、その履歴などの情報を記録する。
【００２９】
前記点検時間内に点検終了が確認できた場合は（ステップＳ２９）、点検ＮＧは発生せず、センタ装置３の完了処理手段３９は、点検完了の旨を所定の記憶手段（例えば点検箇所記憶手段３７など）に記録する。
【００３０】
〔２−４．巡回先の指示〕
点検終了が確認できた（ステップＳ２９）後は、センタ装置３は可搬ユニット１へ次の巡回先を指示する（ステップＳ３０）。すなわち、センタ装置３の巡回先指示手段３６は、巡回路記憶手段３５に記憶されている各固定ユニットを単位に順次、センタ側通信部３１から固定ユニット２へ、次に巡回すべき巡回先の例えば固定ユニットや場所のＩＤなどを、情報伝達により指示する。
【００３１】
これを受けて固定ユニット２の巡回先転送手段２５は、センタ装置３から指示された次の巡回先を、巡回先ＩＤを含む巡回情報などとして、ＬＥＤの点滅により可搬ユニット１へ送信する。送信を受けた可搬ユニット１の出力手段１６は、固定ユニット２からどの巡回先が送信されたかを、図示はしないが、液晶表示や合成音声のスピーカ出力などにより、巡回者であるユーザに対し出力する。
【００３２】
〔３．効果〕
以上のように、本実施形態によれば、巡回者の位置確認や巡回・点検の記録を行うために可搬ユニットと固定ユニットの間で行う双方向通信に、電波より指向性が高い可視光を用いることで高精度な位置確認が容易になり、また、可視光は電波より漏洩しにくいためセキュリティが改善できる。また、可視光はＬＥＤなど照明用と発光手段を共用できるため、無線機器や照明設備を新規設置することなく安価にシステムを構築可能となる。
【００３３】
さらに、可視光と可搬ユニットという組合せにより、固定ユニットとの通信においても、可視光の到達が視覚で確認でき、手の届かない場所や障害物がある場所についても移動して固定ユニットとの間で光を届かせるなど、安全で確実な動作が確保容易となる。
【００３４】
また、本実施形態では、巡回場所ごとに、特に点検すべき点検箇所を固定ユニットから照射して巡回者に知らせることにより、点検忘れの防止と共に、貴重な展示物の確認などきめ細かな点検を確実に実施可能となる。
【００３５】
また、本実施形態では、センタ装置から次の巡回先を順次、固定ユニット経由で可搬ユニットへ送信し出力させることにより、情報漏えいを防止しながら巡回漏れを効果的に防止し業務の効率化が可能となる。
【００３６】
また、本実施形態では、照射された点検箇所の点検と共に、巡回者が可搬ユニットで固定ユニットを照射することにより、実際にその点検箇所を点検したことを確認し、警報や記録を可能とすることにより、巡回や点検の信頼性が効果的に改善可能となる。
【００３７】
特に、本実施形態では、懐中電灯を兼ねた可搬ユニットにおいて、照明用の可視光を発するＬＥＤを制御して十分高速な点滅により、ＩＤなどの伝送情報を重畳させて送出する。このため、照明器具と通信装置を別々に用意するより必要装備がコンパクト化され、片手での操作も容易になる。また、照明と通信の両機能の間で、バッテリやＬＥＤが共通となるため部品点数が減って信頼性改善と低廉化も容易になる。
【００３８】
〔４．他の実施形態〕
なお、本発明は、上記実施形態に限定されるものではなく、以下に例示するもの及びそれ以外の他の実施形態も含むものである。例えば、固定ユニットを介してセンタ装置と可搬ユニットの間で、次の巡回先を通知したり、点検ＮＧなど点検終了の確認結果を伝達することは、省略も可能である。
【図面の簡単な説明】
【００３９】
【図１】本発明の実施形態の構成図。
【図２】本発明の実施形態における処理手順を示すフローチャート。
【符号の説明】
【００４０】
１…可搬ユニット
２…固定ユニット
３…センタ装置
１２…受光センサ部
１５…制御回路
１６…出力手段
２２…受光センサ部
２３…通信部
２４…制御手段
２５…巡回先転送手段
２６…点検箇所報知手段
２７…完了確認手段
３１…センタ側通信部
３２…ＩＤテーブル
３３…位置テーブル
３４…位置特定手段
３５…巡回路記憶手段
３６…巡回先指示手段
３７…点検箇所記憶手段
３８…点検箇所指示手段
３９…完了処理手段
１１，２１１〜２１３…ＬＥＤ
Ｎ…通信ネットワーク
【図１】
0004825820.tif 000002
【図２】
0004825820.tif 000003